(57)【要約】【課題】演出の態様を変化させる演出ボタン及び演出ダイヤルの両方を設けるにあたって、製造コストを低減するとともに、これらの設置スペースを小さくする。【解決手段】受け皿ユニット１４には、受け皿１４ａの周縁に連なる上壁１４ｂが受け皿１４ａの側方に設けられている。上壁１４ｂには、演出操作ユニット１６が上方を向くように取り付けられている。演出操作ユニット１６は、演出ダイヤル１７と演出ボタン１８を備えている。演出ダイヤル１７は筒状に形成されており、その内側に演出ボタン１８が収納されている。演出ボタン１８は演出ダイヤル１７の中心軸方向に移動可能に演出ボタン１８に支持されている。図柄の変動表示中に演出ダイヤル１７の回転操作又は演出ボタン１８の押下操作を行うと、演出画像の表示態様が変化する。【選択図】図３
2010063478.tif 000002
【特許請求の範囲】
【請求項１】
遊技の過程で当たりか否かを決定する当たり抽選を実行し、前記当たり抽選の実行後に図柄の変動表示を行って前記当たり抽選の結果を表示するとともに、前記図柄の変動表示中に前記当たり抽選の結果に基づく演出を実行する遊技機において、
前記図柄の変動表示中に回転操作を行う筒状の演出ダイヤルと、
前記演出ダイヤルの中心軸方向に移動するように前記演出ダイヤルの内側で支持され、前記図柄の変動表示中に押下操作を行う演出ボタンと、
前記演出ダイヤルが回転したことを検知する回転検知手段と、
前記演出ボタンが押下されたことを検知する押下検知手段と、
前記回転検知手段及び前記押下検知手段の検知信号に応答して前記演出の態様を変化させる演出制御装置とを備えたことを特徴とする遊技機。
【請求項２】
発光体が実装された基板と、
前記演出ダイヤルに対して相対的に回転するように前記演出ダイヤルに連結され、前記発光体が内側に突出するようにその底に前記基板が取り付けられた筒状の基板支持部材とを備え、
前記演出ダイヤルの内側でかつ前記発光体の周囲に前記底側に向かって内径が小さくなるテーパ状の反射面を形成するとともに、前記演出ボタンを透光性を有する材料で形成し、前記発光体からの光を前記反射面で前記演出ボタンに向けて反射させることを特徴とする請求項１記載の遊技機。
【請求項３】
前記演出ダイヤルの内側で前記演出ダイヤルと一体に形成され、かつ前記中心軸を中心に放射状に配置され、前記発光体の光を遮る複数の遮光板を備えたことを特徴とする請求項１又は２記載の遊技機。
【請求項４】
前記演出ボタンは、バネ性を有する係止片を前記演出ダイヤルに形成された貫通孔に挿通することによって前記演出ダイヤルに取り付けられており、
前記押下検知手段は、前記押下操作が行われたときの前記板バネの先端の動きを検知することを特徴とする請求項１〜３のいずれかに記載の遊技機。
【発明の詳細な説明】
【技術分野】
【０００１】
本発明は、パチンコ店に設置される遊技機に関する。
【背景技術】
【０００２】
現在、様々なタイプのパチンコ機が提供されているが、その１つとして、始動入賞口に遊技球が入賞したときに乱数を利用した当たり抽選が行われるとともに、例えば７セグメント型の表示装置や液晶ディスプレイなどの図柄表示装置で図柄の変動表示が行われた後に当たり抽選の結果が表示されるものが知られている。当たり当選すると遊技者は大量の遊技球を獲得できるため、当たり抽選の結果へ遊技者の興味を抱かせることは遊技への興趣を高めるうえで重要な要素である。このため、単に図柄の変動表示を行って当たり抽選の結果を表示するのみならず、当たり抽選の結果に基づいた演出を実行して当たり抽選の結果への期待感を高めるパチンコ機が各メーカーから提供される傾向にあり、また、演出の態様にも様々な工夫が凝らされている。演出の態様に工夫を凝らしたパチンコ機として例えば特許文献１〜３で示されるように、遊技者に演出の態様を変化させるボタンを押下させるものやダイヤルを回転させるものがある。このようなパチンコ機では、遊技者の遊技への参加意識を高め、遊技への意欲を高めることができる。
【特許文献１】特開２００５−３０４８５８号公報
【特許文献２】特開２００２−１２３１９７号公報
【特許文献３】特開平１１−２５１６３８号公報
【発明の開示】
【発明が解決しようとする課題】
【０００３】
ところで、上記のようにボタンの押下やダイヤルの回転によって演出の態様が変化するパチンコ機は、ボタンとダイヤルの両方を設けるには、部品点数が増加するとともに、組み立て作業が煩雑なものになってパチンコ機の製造コストが上昇する原因となっていた。また、両方を設けると、これらを設けるスペースを確保することで困難であった。
【０００４】
本発明は、上記問題点を考慮してなされたもので、演出の態様を変化させる演出ボタン及び演出ダイヤルの両方を設けるにあたって、製造コストを低減するとともに、これらの設置スペースを小さくできる遊技機を提供することを目的とする。
【課題を解決するための手段】
【０００５】
上記目的を達成するために、本発明の遊技機は、遊技の過程で当たりか否かを決定する当たり抽選を実行し、前記当たり抽選の実行後に図柄の変動表示を行って前記当たり抽選の結果を表示するとともに、前記図柄の変動表示中に前記当たり抽選の結果に基づく演出を実行するパチンコ機において、前記図柄の変動表示中に回転操作を行う筒状の演出ダイヤルと、前記演出ダイヤルの中心軸方向に移動するように前記演出ダイヤルの内側で支持され、前記図柄の変動表示中に押下操作を行う演出ボタンと、前記演出ダイヤルが回転したことを検知する回転検知手段と、前記演出ボタンが押下されたことを検知する押下検知手段と、前記回転検知手段及び前記押下検知手段の検知信号に応答して前記演出の態様を変化させる演出制御装置とを備えたものである。
【０００６】
なお、発光体が実装された基板と、前記演出ダイヤルに対して相対的に回転するように前記演出ダイヤルに連結され、前記発光体が内側に突出するようにその底に前記基板が取り付けられた筒状の基板支持部材とを備え、前記演出ダイヤルの内側でかつ前記発光体の周囲に前記底側に向かって内径が小さくなるテーパ状の反射面を形成するとともに、前記演出ボタンを透光性を有する材料で形成し、前記発光体からの光を前記反射面で前記演出ボタンに向けて反射させることが好ましい。
【０００７】
また、前記演出ダイヤルの内側で前記演出ダイヤルと一体に形成され、かつ前記中心軸を中心に放射状に配置され、前記発光体の光を遮る複数の遮光板を備えることが好ましい。
【０００８】
また、前記演出ボタンは、バネ性を有する係止片を前記演出ダイヤルに形成された貫通孔に挿通することによって前記演出ダイヤルに取り付けられており、前記押下検知手段は、前記押下操作が行われたときの前記板バネの先端の動きを検知することが好ましい。
【発明の効果】
【０００９】
請求項１記載の発明によれば、演出ボタンと演出ダイヤルとを一体にすることにより、部品点数を低減することが可能になり、パチンコ機の製造コストを低減できる。また、演出ボタンと演出ダイヤルとを一体にすることが可能になり、これらの設置スペースを小さくできる。
【００１０】
請求項２記載の発明によれば、反射面を有する部材を別個に設ける必要がなくなるので、部品点数を低減することが可能になり、パチンコ機の製造コストを低減できる。
【００１１】
請求項３記載の発明によれば、発光体からの光の発光態様に変化をつけることが可能になり、演出ダイヤルを回転操作することへの意欲を高めることができる。
【００１２】
請求項４記載の発明によれば、演出ボタンの押下を検知させるための部材を別個に設けなくてもよくなるので、部品点数を低減することが可能になり、パチンコ機の製造コストを低減できる。
【発明を実施するための最良の形態】
【００１３】
図１に示すように、パチンコ機（遊技機）１０は遊技盤１１を備えている。遊技盤１１の盤面上には始動入賞口１２が設けられている。始動入賞口１２に遊技球が入賞すると当たり又はハズレを決定する当たり抽選が行われる。当たりに当選した場合には、当たりモードに移行する。当たりモードでは１５ラウンドの遊技が行われる。各ラウンドでは、アタッカ（可動扉）１３が１回ずつ開放する。アタッカ１３が開放すると遊技球の大半がその内面で大入賞口に案内され、多数の賞球を得ることができる。パチンコ機１０の前面には受け皿ユニット１４が設けられている。受け皿ユニット１４は受け皿１４ａを備えており、賞球は受け皿１４ａに払い出される。大入賞口に遊技球が１０個入賞するか又はラウンド開始から３０秒経過するとアタッカ１３が閉じて１ラウンドが終了する。
【００１４】
遊技盤１１の中央部には液晶ディスプレイ１５が組み込まれている。液晶ディスプレイ１５では図柄の変動表示が行われて当たり抽選の結果が表示される。また、液晶ディスプレイ１５からは、図柄の変動表示中に演出画像が表示される。受け皿ユニット１４には、受け皿１４ａの周縁に連なる上壁１４ｂが受け皿１４ａの側方に設けられている。上壁１４ｂには、演出操作ユニット１６が上方を向くように取り付けられている。
【００１５】
演出操作ユニット１６は、演出ダイヤル１７と演出ボタン１８を備えている。演出ダイヤル１７は筒状に形成されており、その内側に演出ボタン１８が収納されている。図柄の変動表示中に演出ダイヤル１７の回転操作又は演出ボタン１８の押下操作を行うと、演出画像の表示態様が変化する。これらの操作を行った結果、「当たり」を示す演出画像が表示された場合は、遊技者は当たりに当選したことを識別できる。
【００１６】
図２及び図３に示すように、演出操作ユニット１６は、演出ダイヤル１７及び演出ボタン１８に加え、演出ダイヤル１７と相対的に回転する基板支持部材１９、演出ダイヤル１７と演出ボタンを連結する連結スリーブ２０、連結スリーブ２０が載置される台座２１、基板支持部材１９の底に取り付けられたランプ制御基板（基板）２２を備えている。
【００１７】
演出ボタン１８は、透光性を有する材料で円形のキャップ状に形成されており、その縦断面がコの字形状になっている。そして、演出ボタン１８は、天板１８ａと、天板１８ａの縁から下方に延びる円筒状の側板１８ｂとを備えている。側板１８ｂの下端には、板バネを折り曲げることによりバネ性を付与した係止片１８ｃが９０度間隔で４箇所に形成されている。
【００１８】
演出ダイヤル１７は、底側に向けて徐々に内径が小さくなるように段差がつけられた略円筒状のダイヤル本体１７ａを備えている。ダイヤル本体１７ａ外側には、ダイヤル本体１７ａよりも径の大きい円筒状のダイヤル支持脚１７ｂが配置されており、双方の上縁同士は上壁１７ｃにより連なっている。受け皿ユニット１４の上壁１４ｂにはダイヤル挿入孔１４ｃが形成されている。ダイヤル挿入孔１４ｃにはダイヤル本体１７ａが挿入されている。
【００１９】
ダイヤル本体１７ａの内壁には係止孔１７ｄが９０度間隔で４箇所に形成されている。係止孔１７ｄには、演出ボタン１８の係止片１８ｃが挿入されている。これにより、演出ボタン１８はダイヤル本体１７ａの内側で保持されている。演出ボタン１８は、係止片１８ｃのバネ性によりダイヤル本体１７ａの中心軸方向で移動自在となっており、初期位置とダイヤル本体１７ａ内に入り込む押下位置との間で移動する。演出ボタン１８は、常態では初期位置（図３に示す位置）に位置しており、これを押下すると押下位置（図４に示す位置）に移動する。
【００２０】
ダイヤル本体１７ａの段差部分と、その底に形成された開口１７ｅとの間の内面の一部には、底側に向かって内径が小さくなるテーパ状の反射面１７ｆが形成されている。反射面１７ｆには銀メッキが施されている。また、反射面１７ｆには、ダイヤル本体１７ａの中心軸に向けて傾くとともに、先端部が該中心軸と直交するように中心軸に向けて折り曲げられた遮光板１７ｇが一体に形成されている。遮光板１７ｇは９０度間隔で４箇所に形成されており、互いの先端同士の間には隙間が設けられている。
【００２１】
基板支持部材１９は、内径の異なる２つの円筒が上下に一体に連なる形状になっている。上部の円筒はダイヤル挿入部１９ａ、下部の円筒は基板取付部１９ｂとなっている。ダイヤル挿入部１９ａのほうが基板取付部１９ｂよりも小径になっている。ダイヤル挿入部１９ａには、その上部の開口からダイヤル本体１７ａが挿入されている。
【００２２】
基板取付部１９ｂの下端からは、内側を向いた係止爪１９ｃが９０度間隔で４箇所に形成されている。係止爪１９ｃは、円形のランプ制御基板２２に９０度間隔で４箇所に形成された切り欠き２２ａに挿入されるとともにランプ制御基板２２の裏面に係止する。これにより、基板支持部材１９の底がランプ制御基板２２によって塞がれる。
【００２３】
ランプ制御基板２２の上面側の実装面には、その中心軸を対称に２つのＬＥＤ２３が実装されている。ランプ制御基板２２を基板支持部材１９に取り付けた状態では、ＬＥＤ２３は基板支持部材１９の内側に突出する。また、ダイヤル本体１７ａがダイヤル挿入部１９ａに挿入された状態では、ＬＥＤ２３は開口１７ｅからダイヤル本体１７ａ内に突出する。この状態では、ダイヤル本体１７ａの反射面１７ｆがＬＥＤ２３の周囲に配置され、さらに、ＬＥＤ２３の上方には遮光板１７ｇの折り曲げ部分（先端部）が配置される。
【００２４】
演出ダイヤル１７と基板支持部材１９とは連結スリーブ２０によって連結される。連結スリーブ２０は、円筒状のスリーブ本体２０ａを備えている。スリーブ本体２０ａの外周面には、環状の環状板２０ｂが一体に形成されている。
【００２５】
スリーブ本体２０ａの上縁には外側を向いた連結爪２０ｃが９０度間隔で４箇所に形成されている。ダイヤル本体１７ａの段差部分の外壁には、下方に突出するとともに先端が内側を向いた爪係止部１７ｈが形成されている。そして、連結爪２０ｃは爪係止部１７ｈに係止している。
【００２６】
環状板２０ｂの上面には、第１クリック用突起２０ｄが周方向に連なるように並べて形成されている。第１クリック用突起２０ｄの各々はその中央が最も高くなっており、両側端に向けて徐々に下り傾斜している。
【００２７】
基板支持部材１９の内側には、ダイヤル挿入部１９ａと基板支持部１９ｂとの境界部分には環状の環状板１９ｄが形成されており、環状板１９ｄの下面には第２クリック用突起１９ｅが形成されている。第２クリック用突起１９ｅは第１クリック用突起２０ｄと同一形状をしており、基板支持部１９ｂの周方向に沿って並べて形成されている。
【００２８】
連結スリーブ２０の連結爪２０ｃがダイヤル本体１７ａの爪係止部１７ｈに係止した状態では、第１クリック用突起２０ｄと同一形状の第２クリック用突起１９ｅとが押しつけられた状態になる。このため、演出ダイヤル１７と基板支持部材１９は、連結爪２０ｃと第１クリック用突起２０ｄとで爪係止部１７ｈと第２クリック用突起１９ｅとを挟み込むことによって一体に保持されている。
【００２９】
連結スリーブ２０の環状板２０ｂは、一対の台座２１に載置されている。台座２１は、ランプ制御基板２２の周縁に沿う円弧状に形成されている。台座２１は、下方に延びる係止爪２１ａを備えている。ランプ制御基板２２には係止孔２２ｂが形成されている。係止爪２１ａを係止孔２２ｂに挿入すると係止爪２１ａがランプ制御基板２２の裏面に係止する。これにより、台座２１がランプ制御基板２２の実装面に固定される。連結スリーブ２０は単に台座２１に載置されているだけであるので、台座２１の上面に擦接しながら演出ダイヤル１７とともに回転する。
【００３０】
ランプ制御基板２２には、ＬＥＤ（発光体）２３の他に、フォトセンサ２４が実装されている。フォトセンサ２４は、ランプ制御基板２２の周方向に沿って２つ並べられている。
【００３１】
連結スリーブ２０の環状板２０ｂの下端には、複数の被検知片２０ｅが形成されている。被検知片２０ｅは、その板厚方向とスリーブ本体２０ａの中心軸が直交するようにスリーブ本体２０ａの中心軸周りに並べて配置されている。また、被検知片２０ｅは、台座２１に連結スリーブ２０を載置したときに、台座２１の内側に位置するように配置されている。
【００３２】
連結スリーブ２０が演出ダイヤル１７とともに回転すると、被検知片２０ｅはフォトセンサ（回転検知手段）２４によって順次検知される。パチンコ機１０は、当たり抽選や液晶ディスプレイ１５での画像の表示制御などの遊技の実行処理を行う遊技制御基板２６を備えている。フォトセンサ２４の検知信号は遊技制御基板２６に入力される。遊技制御基板２６は、フォトセンサ２４からの検知信号に応答して液晶ディスプレイ１５の演出画像の表示態様を変化させ、当たり抽選で当たりに当選していた場合は、その旨を示す画像を図柄の停止前に液晶ディスプレイ１５から表示させる。また、遊技制御基板２６は、始動入賞口１２に遊技球が入賞したことに応答して、ＬＥＤ２３の発光コマンドをランプ制御基板２２に入力する。ランプ制御基板２２は発光コマンドを受けてＬＥＤ２３を点灯させる。始動入賞口１２に遊技球が入賞すると図柄の変動表示が開始されるので、ＬＥＤ２３は図柄の変動開始とともに発光する。
【００３３】
フォトセンサ２４同士の間隔（検知間隔）は被検知片２０ｅの幅よりも狭くなっており、１枚の被検知片２０ｅが両方のフォトセンサ２４によってタイミングをずらして同時に検出される。フォトセンサ２４は、常態ではオンになっており、被検知片２０ｅを検知するとオフになる。遊技制御基板２６は、両方の被検知片２０ｅが検出された後にいずれのフォトセンサ２４が先行してオフになったかを検出することによって連結スリーブ２０の回転方向、すなわち演出ダイヤル１７の回転方向を検出する。
【００３４】
ランプ制御基板２２の実装面でその中央部にはマイクロスイッチ（押下検知手段）２７が設けられている。また、演出ボタン１８の裏面には、棒状のスイッチ押下部材１８ｄが設けられている。演出ボタン１８を押下するとマイクロスイッチ２７がオンされる。遊技制御基板２６は、マイクロスイッチ２７がオンになったことを検出することによって、演出ボタン１８が押下されたことを検出する。そして、遊技制御基板２６は、演出ボタン１８の押下に応答して液晶ディスプレイ１５の演出画像の表示態様を変化させ、当たり抽選で当たりに当選していた場合は、その旨を示す画像を図柄の停止前に液晶ディスプレイ１５から表示させる。
【００３５】
受け皿ユニット１４の内部でその上壁１４ｂと対面する下壁１４ｅには係止爪１４ｆが形成されている。演出ダイヤル１７のダイヤル本体１７ａがダイヤル挿入孔１４ｃに挿入されると、係止爪１４ｆがランプ制御基板２２の係止孔２２ｃに係止する。これにより、演出操作ユニット１６が脱落することのないように受け皿ユニット１４に固定される。
【００３６】
上記のように構成された演出操作ユニット１６の作用について説明する。
【００３７】
始動入賞口１２に遊技球が入賞すると、遊技制御基板２６は液晶ディスプレイ１５で図柄の変動表示が開始させるとともに、ＬＥＤ２３の発光コマンドをランプ制御基板２２に入力する。
【００３８】
図４に示すように、ＬＥＤ２３の発光コマンドを受けたランプ制御基板２２はＬＥＤ２３を発光させる。ＬＥＤ２３が発光すると、ＬＥＤ２３の光が演出ボタン１８に向けて直接照射されるとともに、反射面１７ｆで反射した光（図中に二点鎖線で示す矢印が反射した光を示す）も演出ボタン１８に向けて照射される。これにより、外部から視認した場合は、演出ボタン１８に向けてＬＥＤ２３の光を直接照射したときのみの場合に比べて演出ボタン１８がより明るく発光する。
【００３９】
演出ボタン１８の押下操作及び演出ダイヤル１７の回転操作が行われると、各操作が検出され、液晶ディスプレイ１５の演出画像の表示態様が変化する。演出ダイヤル１７を回転操作にしたときには、ＬＥＤ２３の光が遮光板１７ｇによって遮られて発光と消灯を繰り返しているように見える。これにより、遊技者へのアピール度が高まるとともに、このようにＬＥＤ２３を発光させるための制御を行わなくてもよいので、ＬＥＤ２３を発光させるためのプログラムやデータを削減でき、パチンコ機１０のコストダウンを図ることができる。
【００４０】
上記実施形態では、マイクロスイッチ２７をランプ制御基板２２に取り付け、これをスイッチ押下部材１８ｄで押下することにより、演出ボタン１８の押下を検知したが、例えばフォトセンサによって演出ボタン１８の押下を検知するなど、適宜の方法で演出ボタン１８の押下を検知してもよい。以下に図５を用いて演出ボタン１８が押下操作されたことの検知方法の別態様について説明する。なお、上記実施形態と同一の部材については同一符号を用いて詳しい説明を省略する。
【００４１】
図５に示すように、演出ダイヤル１７のダイヤル本体１７ａとダイヤル支持脚１７ｂの隙間で上壁１７ｃの裏面にマイクロスイッチ２７を取り付ける。また、演出ボタン１８の係止片１８ｃは、演出ボタン１８が初期位置にあるときにマイクロスイッチ２７を押下可能な長さにする。これにより、演出ボタン１８が押下操作されて、演出ボタン１８が初期位置（図中二点鎖線で示す位置）から押下位置（図中実線で示す位置）に移動すると係止片１８ｃがマイクロスイッチ２７を押下し、マイクロスイッチ２７を押下できる。この例は、スイッチ押下部材１８ｄを省略できるため、パチンコ機１０の製造コストの低減を図るうえで効果的である。
【００４２】
上記実施形態では、演出ダイヤル１７を円筒状に形成したが、例えば多角形状にするなど、筒状でかつその内部で演出ボタン１８を支持できれば適宜の形状にしてよい。
【００４３】
上記実施形態では、演出ダイヤル１７に反射面１７ｆを設けたが、反射面１７ｆは必ずしも設けなくてもよい。また、演出ダイヤル１７の回転方向を検知せずに、演出ダイヤル１７が回転したことのみを検知するのであればフォトセンサ２４の数は１個にしてもよく、また、演出ダイヤル１７の回転検知も例えばマイクロスイッチを用いるなど適宜の方法にしてよい。その他、演出ダイヤル１７と基板支持部材１９の連結方法は、連結スリーブ２０による連結に限らず適宜の方法で連結してよい。
【００４４】
上記実施形態では、演出の一例として演出画像の表示を例に挙げたが、演出は例えば音声、ランプによる報知など適宜の方法によって行ってよい。そして、演出ダイヤル１７及び演出ボタン１８が操作可能となる契機、これらを操作したときの演出の態様の変化は遊技性に応じて適宜に設定してよい。
【００４５】
上記実施形態では、液晶ディスプレイによって図柄の変動表示を行うパチンコ機を例に挙げて説明したが、モータの駆動によって回転するリールを用いて図柄の変動表示を行うパチンコ機など、他の態様で当たり抽選の結果を表示するパチンコ機やメダルを用いて遊技を行うスロットマシンに本発明を適用してもよい。また、画像表示装置は、液晶ディスプレイに限らず、７セグメント型の表示装置やＥＬ（エレクトロルミネッセンス）を用いた表示装置など適宜の表示装置を用いてよい。
【図面の簡単な説明】
【００４６】
【図１】パチンコ遊技機の正面図である。
【図２】演出操作ユニットの分解斜視図である。
【図３】演出ボタンが初期位置にあるときの演出操作ユニットの縦断面図である。
【図４】演出ボタンが押下位置にあるときの演出操作ユニットの縦断面図である。
【図５】演出ボタンの係止片でマイクロスイッチを押下する例の説明図である。
【符号の説明】
【００４７】
１０  パチンコ機
１５  液晶ディスプレイ
１６  演出操作ユニット
１７  演出ダイヤル
１７ｆ  反射面
１７ｇ  遮光板
１８  演出ボタン
１８ｃ  係止片
１９  基板支持部材
２０  連結スリーブ
２１  台座
２２  ランプ制御基板（基板）
２３  ＬＥＤ（発光体）
２４  フォトセンサ（回転検知手段）
２７  マイクロスイッチ（押下検知手段）
【図１】
2010063478.tif 000003
【図２】
2010063478.tif 000004
【図３】
2010063478.tif 000005
【図４】
2010063478.tif 000006
【図５】
2010063478.tif 000007